(57)【要約】  本発明は、クリーニング性能が高い情報記憶装置を提供することを目的とし、各々がディスク形状を有する、共通の回転軸に固定されて回転する、各々に情報が記録される、そのディスク形状の表裏を貫通する貫通孔が回転軸の回りに穿たれている複数のディスク型情報記憶媒体と、情報記憶媒体に対して情報アクセスを行うアクセス部と、情報記憶媒体の回転に伴って流れる空気の通過によってその空気中の塵埃を除去するフィルタとを備えた。【特許請求の範囲】
【請求項１】
各々がディスク形状を有する、共通の回転軸に固定されて回転する、各々に情報が記録される、該ディスク形状の表裏を貫通する貫通孔が回転軸の回りに穿たれている複数の情報記憶媒体と、
前記情報記憶媒体に対して情報アクセスを行うアクセス部と、
前記情報記憶媒体の回転に伴って流れる空気の通過によってその空気中の塵埃を除去するフィルタと、
を備えたことを特徴とする情報記憶装置。
【請求項２】
前記情報記憶媒体が、ディスク表面の、前記回転軸を囲む帯状の領域に情報が記録され、その帯状の領域の内側に前記貫通孔が穿たれているものであることを特徴とする請求項１記載の情報記憶装置。
【請求項３】
前記情報記憶媒体が、前記回転軸の回りに前記貫通孔が１周分穿たれているものであることを特徴とする請求項１記載の情報記憶装置。
【請求項４】
前記情報記憶媒体が、前記回転軸の回りに前記貫通孔が複数周分穿たれているものであることを特徴とする請求項１記載の情報記憶装置。
【請求項５】
前記情報記憶媒体が、前記貫通孔として円形孔が穿たれているものであることを特徴とする請求項１記載の情報記憶装置。
【請求項６】
前記情報記憶媒体が、前記貫通孔として角丸四角形の孔が穿たれているものであることを特徴とする請求項１記載の情報記憶装置。
【請求項７】
前記複数の情報記憶媒体の相互間に挟まれてそれら複数の情報記憶媒体の間隔を維持する、前記回転軸を囲むリング状のスペーサであって、前記貫通孔に相応する位置には、それらの情報記憶媒体を相互に繋ぐ方向に延びる溝が設けられているスペーサを備えたことを特徴とする請求項１記載の情報記憶装置。
【請求項８】
前記スペーサが、前記溝として丸底溝が設けられているものであることを特徴とする請求項６記載の情報記憶装置。
【請求項９】
前記スペーサが、前記溝として平底溝が設けられているものであることを特徴とする請求項６記載の情報記憶装置。
【請求項１０】
前記スペーサが、前記溝としてＶ字溝が設けられているものであることを特徴とする請求項６記載の情報記憶装置。
【発明の詳細な説明】
【技術分野】
【０００１】
本発明は、ディスク形状の情報記憶媒体に対して情報アクセスを行う情報記憶装置に関する。
【背景技術】
【０００２】
近年、コンピュータの普及に伴って、日常的に多量の情報が取り扱われるようになっている。このような情報は、通常、情報記憶媒体に多数の物理的な印として記録され、その情報記憶媒体上の印と電気的な再生記録信号とを媒介する情報記憶装置によって情報がアクセスされる。【０００３】
このような情報記憶装置の代表的なものとしては、磁気ディスク装置が知られており、磁気ディスク装置では、記憶容量の向上のために情報記憶媒体として複数の磁気ディスクが備えられていることが多い。そのような複数の磁気ディスクは、互いに平行に間隔を開けて共通の回転軸に固定され、回転軸の駆動によって回転される。この磁気ディスクには表裏面に情報が記憶され、回転する磁気ディスクの表裏面に磁気ヘッドが近接して情報アクセスを行う。【０００４】
このような磁気ディスク装置内では、磁気ディスクの回転に伴って空気流が発生しており、この空気流が通過する位置にはフィルタが固定されている。フィルタを通過した清浄な空気は磁気ディスクの表裏面に沿って流れ、この空気流によって磁気ディスクの表裏面のクリーニングが行われている（例えば、特許文献１、および特許文献２参照）。
【特許文献１】特開２００５−１８９３７号公報
【特許文献２】特開昭６１−２０８６９０号公報
【発明の開示】
【発明が解決しようとする課題】
【０００５】
磁気ディスクの記録密度は年々向上し続けており、その記録密度の向上に伴う浮上ヘッドスライダの浮上量低下により、ディスク面のクリーニングについても高い性能が求められている。高いクリーニング性能が得られるためには、磁気ディスクの表裏面に清浄な空気が満遍なく行き渡ることが重要である。空気流は、磁気ディスクの表裏面と空気との摩擦によって発生するものであるので、２枚の磁気ディスクに挟まれている空気は流れが強く、磁気ディスクと装置筐体との間の空気は流れが弱い。このため、磁気ディスクの間では負圧領域が強く生じ、フィルタからの清浄な空気はその負圧によって磁気ディスク間に過度に集中してしまい、装置筐体に対向する磁気ディスク面ではクリーニングが不十分となる恐れがある。【０００６】
上記の特許文献１および特許文献２には、磁気ディスクが固定された回転軸に通気路が設けられた磁気ディスク装置が開示されており、その通気路を空気が通ることにより、空気の滞りを解消するという技術が提案されているが、磁気ディスクの回転軸にそのような構造を設けることは、装置の小型化や低コスト化が進んでいる現状では困難を伴う。【０００７】
このような問題は、磁気ディスク装置のみで生じる問題ではなく、複数のディスク形状の情報記憶媒体を備え、その情報記憶媒体の回転に伴う空気流でディスク面のクリーニングを行うタイプの情報記憶装置で一般に生じる問題である。
【課題を解決するための手段】
【０００８】
本発明は、上記事情に鑑み、クリーニング性能が高い情報記憶装置を提供することを目的とする。【０００９】
上記目的を達成する本発明の情報記憶装置は、
各々がディスク形状を有する、共通の回転軸に固定されて回転する、各々に情報が記録される、そのディスク形状の表裏を貫通する貫通孔が回転軸の回りに穿たれている複数の情報記憶媒体と、
上記情報記憶媒体に対して情報アクセスを行うアクセス部と、
上記情報記憶媒体の回転に伴って流れる空気の通過によってその空気中の塵埃を除去するフィルタと、
を備えたことを特徴とする。【００１０】
本発明の情報記憶装置は、典型的には、
上記情報記憶媒体が、ディスク表面の、上記回転軸を囲む帯状の領域に情報が記録され、その帯状の領域の内側に上記貫通孔が穿たれているものであることを特徴とする。【００１１】
このような本発明の情報記憶装置によれば、情報記憶媒体に設けられた貫通孔を介して空気が流れることで、「発明が解決しようとする課題」の欄で説明したような各ディスク面間の負圧の不均一性が解消され、フィルタからの清浄な空気は、各ディスク面に均等に流れることとなるのでクリーニング性能が高い。また、構造が簡便であるため、情報記憶装置の小型化や低コスト化にも十分に対応可能である。【００１２】
本発明の情報記憶装置において、上記情報記憶媒体は、
上記回転軸の回りに上記貫通孔が１周分穿たれているものであってもよく、あるいは
上記回転軸の回りに上記貫通孔が複数周分穿たれているものであってもよい。【００１３】
また、本発明の情報記憶装置において、上記情報記憶媒体は、
上記貫通孔として円形孔が穿たれているものであってもよく、あるいは
上記貫通孔として角丸四角形の孔が穿たれているものであってもよい。【００１４】
本発明の情報記憶装置は、
上記複数の情報記憶媒体の相互間に挟まれてそれら複数の情報記憶媒体の間隔を維持する、上記回転軸を囲むリング状のスペーサであって、上記貫通孔に相応する位置には、それらの情報記憶媒体を相互に繋ぐ方向に延びる溝が設けられているスペーサを備えたことが好適である。【００１５】
このようなスペーサを備えた形態の情報記憶装置によれば、スペーサに設けられた溝の分だけ貫通孔の位置を内側に寄せることができるので、情報記憶媒体の記録用領域を十分に確保しつつ、十分な開口の貫通孔を設けることができる。また、溝に沿って空気が円滑に流れる効果も期待される。【００１６】
このような形態の情報記憶装置において、上記スペーサは、
上記溝として丸底溝が設けられているものであってもよく、
上記溝として平底溝が設けられているものであってもよく、
上記溝としてＶ字溝が設けられているものであってもよい。
【発明の効果】
【００１７】
以上説明したように、本発明によれば、クリーニング性能が高い情報記憶装置が得られる。
【図面の簡単な説明】
【００１８】
【図１】本発明の一実施形態を示す概略構成図である。
【図２】磁気ディスクの構造を示す図である。
【図３】磁気ディスクとスペーサとの位置関係を示す図である。
【図４】比較例における、積み重なった磁気ディスクの最下面に接する最下層の空気の圧力分布を表す図である。
【図５】比較例における、積み重なった磁気ディスクに挟まれた中間層の空気の圧力分布を表す図である。
【図６】本実施形態の磁気ディスク装置における、積み重なった磁気ディスクの最下面に接する最下層の空気の圧力分布を表す図である。
【図７】本実施形態の磁気ディスク装置における、積み重なった磁気ディスクに挟まれた中間層の空気の圧力分布を表す図である。
【図８】貫通孔の形状のバリエーションを表す図である。
【図９】溝の形状のバリエーションを表す図である。
【発明を実施するための最良の形態】
【００１９】
以下図面を参照して本発明の実施の形態を説明する。【００２０】
図１は、本発明の一実施形態を示す概略構成図である。【００２１】
この図１には、本発明の一実施形態に相当する磁気ディスク装置１００が示されており、この磁気ディスク装置１００のハウジング１１０には、回転軸１２０、回転軸１２０に装着された磁気ディスク１３０、磁気ディスク１３０の表面に近接して対向する浮上ヘッドスライダ１４０、浮上ヘッドスライダ１４０が先端に固着されてアーム軸１５０を中心に磁気ディスク１３０のディスク面に沿って移動するキャリッジアーム１６０、およびキャリッジアーム１６０を駆動するアクチュエータ１７０が収容されている。ハウジング１１０の内部空間は、図示しないカバーによって閉鎖される。ここで、磁気ディスク１３０は複数枚収容されており、それら複数枚の磁気ディスク１３０は共通の１つの回転軸１２０に固定され、相互に間隔を空けて積み重なった状態となっている。【００２２】
この磁気ディスク装置１００では、磁気ディスク１３０へ情報の記録、および磁気ディスク１３０に記録された情報の再生が行われる。これらの情報の記録および再生にあたっては、磁気回路で構成されたアクチュエータ１７０によってキャリッジアーム１６０が駆動され、浮上ヘッドスライダ１４０が、回転軸１２０の駆動によって回転する磁気ディスク１３０上の所望のトラックに位置決めされる。浮上ヘッドスライダ１４０には、図示しない磁気ヘッドが搭載されており、磁気ヘッドは、磁気ディスク１３０の回転によって、磁気ディスク１３０の各トラックに並ぶ各１ビット領域に順次近接し、それら１ビット領域に対して磁界による情報のアクセスを行う。従って、磁気ディスク１３０上の情報記憶領域は、回転軸１２０を囲む帯状の領域となっている。【００２３】
また、磁気ディスク装置１００のハウジング１１０にはフィルタ１８０も備えられており、磁気ディスク１３０の回転に伴って生じる空気流がこのフィルタ１８０を通過することによって清浄な空気が得られ、その清浄な空気の流れによって磁気ディスク１３０のディスク面がクリーニングされる。積み重なった状態の複数の磁気ディスク１３０の相互間に挟まれて存在する空気は、その空気を挟んだ２つのディスク面の回転によって駆動されるので磁気ディスク１３０の間では空気が流れる力が強い。これに対し、積み重なった磁気ディスク１３０の最上面や最下面に接している空気は、１つのディスク面のみによって駆動されることになり、ディスク面から受ける駆動力は弱い。しかし、この磁気ディスク装置１００では、積み重なった磁気ディスク１３０の最上面や最下面に接している空気も十分に流れるように、磁気ディスク１３０に工夫が施されている。【００２４】
図２は、磁気ディスク１３０の構造を示す図である。【００２５】
磁気ディスク１３０の中央には、上述した回転軸１２０が通る中央孔１３１が空いており、その中央孔１３１を取り巻いて（即ち回転軸１２０の回りに）、磁気ディスク１３０の表裏を貫通する８個の貫通孔１３２が穿たれている。これらの貫通孔１３０は、磁気ディスク１３０上の情報記憶領域の最内周よりも更に内側に設けられている。【００２６】
上述したように磁気ディスク１３０は、図１に示す磁気ディスク装置１００内に複数枚備えられており、それら複数の磁気ディスク１３０の相互間には、相互間隔を維持するためのスペーサが挟まれている。【００２７】
図３は、磁気ディスク１３０とスペーサとの位置関係を示す図である。【００２８】
スペーサ１９０は、図１に示す回転軸１２０を囲むリング状のものであり、スペーサ１９０の外周面には、磁気ディスク１３０の貫通孔１３２に相応する位置に溝１９１が設けられている。また、貫通孔１３２は、スペーサ１９０の外周面よりもやや内側に食い込んだ位置に穿たれていることになり、貫通孔１３２の開口率は、スペーサ１９０の周囲２ｍｍの領域で５０％となっている。【００２９】
スペーサ１９０の溝１９１は、このスペーサ１９０を挟んだ２枚の磁気ディスク１３０の相互間を亘ってその２枚の磁気ディスク１３０を繋ぐ方向に延びていて、それら２枚の磁気ディスク１３０それぞれに穿たれている貫通孔１３２も相互に繋いでいる。【００３０】
このように、磁気ディスク１３０に貫通孔１３２が穿たれていることにより、貫通孔１３２を介して空気が流れる。また、スペーサ１９０の溝１９１により、貫通孔１３２を出入りする空気が円滑に流れる。この結果、後述するように、積み重なった磁気ディスク１３０の最上面や最下面にも十分な空気の流れが生じ、高いクリーニング性能が得られる。【００３１】
ここで、磁気ディスク１３０に貫通孔１３２が穿たれていることの効果を、比較例と対比して説明する。この比較例は、貫通孔のない磁気ディスクが用いられている点を除いて本実施形態と同様の装置である。【００３２】
図４は、比較例における、積み重なった磁気ディスクの最下面に接する最下層の空気の圧力分布を表す図であり、図５は、比較例における、積み重なった磁気ディスクに挟まれた中間層の空気の圧力分布を表す図である。【００３３】
比較例では、中間層に大きな圧力勾配が生じており、この圧力勾配によって中間層には、回転軸の周囲に負圧の領域が生じる。一方、最下層の空気には小さな圧力勾配しか生じないので大きな負圧領域は生じない。この結果、フィルタを通って浄化された清浄な空気は中間層に強く引き込まれることとなり、最下層では清浄な空気の流れが不足してクリーニング不足となる恐れがある。【００３４】
図６は、図１に示す本実施形態の磁気ディスク装置における、積み重なった磁気ディスクの最下面に接する最下層の空気の圧力分布を表す図であり、図７は、本実施形態の磁気ディスク装置における、積み重なった磁気ディスクに挟まれた中間層の空気の圧力分布を表す図である。【００３５】
本実施形態における各磁気ディスクには、中心軸の回りに上述した貫通孔が設けられており、この貫通孔を空気が流れる。この結果、最下層での圧力勾配と中間層での圧力勾配とにはほとんど差がなく、フィルタを通って浄化された清浄な空気は、各ディスク面に均等に流れ、積み重なった磁気ディスクの最上面や最下面にも十分な空気の流れが生じることとなる。従って、本実施形態におけるクリーニング性能は高い。【００３６】
以下、磁気ディスクの貫通孔とスペーサの溝における形状のバリエーションについて説明する。【００３７】
図８は、貫通孔の形状のバリエーションを表す図である。【００３８】
磁気ディスクに設けられる貫通孔としては、図８のパート（Ａ）およびパート（Ｂ）に示すような円形の貫通孔１３２ａ，１３２ｂや、図８のパート（Ｃ）に示すような角丸四角形の貫通孔１３２ｃなどが考えられ、どの形状の貫通孔であっても本発明の実施形態に採用可能である。また、貫通孔は、図８のパート（Ａ）に示すように、中心軸の回りに複数周設けられてもよく、あるいは、図８のパート（Ｂ）およびパート（Ｃ）に示すように、中心軸の回りに１周だけ設けられてもよい。【００３９】
図８のパート（Ａ）に示すような円形で小型の貫通孔１３２ａが多数設けられる場合には、スペーサの溝として貫通孔よりも十分に大きな溝が採用可能で、これにより、装置の組立時における貫通孔と溝との位置合わせが不要になるという利点がある。【００４０】
図８のパート（Ｂ）に示すような円形で大型の貫通孔１３２ｂが少数設けられる場合には、貫通孔の加工数が少ないという利点がある。【００４１】
図８のパート（Ｃ）に示すような角丸四角形の貫通孔１３２ｃが設けられる場合には、大きな開口率の貫通孔が容易に得られるという利点がある。【００４２】
図９は、溝の形状のバリエーションを表す図である。【００４３】
スペーサに設けられる溝としては、図９のパート（Ａ）に示すような丸底の溝１９１ａや、図９のパート（Ｂ）に示すような平底の溝１９１ｂや、図９のパート（Ｃ）に示すようなＶ字の溝１９１ｃ、などが考えられ、どの形状の溝であっても本発明の実施形態に採用可能である。【００４４】
図９のパート（Ａ）に示すような丸底の溝１９１ａは、加工が容易であるという利点を有する。【００４５】
図９のパート（Ｂ）に示すような平底の溝１９１ｂは、通気面積が大きいという利点を有する。【００４６】
図９のパート（Ｃ）に示すようなＶ字の溝１９１ｃは、磁気ディスクとスペーサとの接触面積が大きいので、磁気ディスクとスペーサとを強く締め付けて頑強に組み立てることができるという利点を有する。【００４７】
以上説明したように、貫通孔と溝の各バリエーションにはそれぞれの利点があるが、いずれのバリエーションが採用された実施形態であっても高いクリーニング性能が得られると期待される。【００４８】
また、上記実施形態では、本発明にいう情報記憶媒体の一例として磁気ディスクが用いられているが、本発明にいう情報記憶媒体は、光磁気ディスクなどといった他のディスク型記憶媒体であってもよい。
【図１】
2007004255.tif 000002
【図２】
2007004255.tif 000003
【図３】
2007004255.tif 000004
【図４】
2007004255.tif 000005
【図５】
2007004255.tif 000006
【図６】
2007004255.tif 000007
【図７】
2007004255.tif 000008
【図８】
2007004255.tif 000009
【図９】
2007004255.tif 000010
【手続補正書】
【提出日】平成19年12月29日(2007.12.29)
【手続補正１】
【補正対象書類名】特許請求の範囲
【補正対象項目名】全文
【補正方法】変更
【補正の内容】
【特許請求の範囲】
【請求項１】
回転軸に固定されて回転し、情報を記憶する情報記憶媒体と、
前記情報記憶媒体に対して情報アクセスを行うアクセス部とを備え、
前記情報記憶媒体は、前記回転軸の回りに表裏を貫通する貫通孔が少なくとも１周に亘って穿たれているものであることを特徴とする情報記憶装置。
【請求項２】
前記回転軸を囲む情報記憶領域の内側に前記貫通孔が穿たれていることを特徴とする請求項１記載の情報記憶装置。
【請求項３】
前記貫通孔は、円形孔であることを特徴とする請求項１記載の情報記憶装置。
【請求項４】
前記貫通孔は、角丸四角形であることを特徴とする請求項１記載の情報記憶装置。
【請求項５】
複数の前記情報記憶媒体の間に挟まれて間隔を維持し、前記回転軸を囲むリング状のスペーサを備え、前記スペーサは、前記貫通孔に相応する位置にそれらの情報記憶媒体を相互に繋ぐ方向に延びる溝を有していることを特徴とする請求項１記載の情報記憶装置。
【請求項６】
前記溝は、丸底溝であることを特徴とする請求項５記載の情報記憶装置。
【請求項７】
前記溝は、平底溝であることを特徴とする請求項５記載の情報記憶装置。
【請求項８】
前記溝は、Ｖ字溝であることを特徴とする請求項５記載の情報記憶装置。
【手続補正２】
【補正対象書類名】明細書
【補正対象項目名】００２５
【補正方法】変更
【補正の内容】
【００２５】
磁気ディスク１３０の中央には、上述した回転軸１２０が通る中央孔１３１が空いており、その中央孔１３１を取り巻いて（即ち回転軸１２０の回りに）、磁気ディスク１３０の表裏を貫通する９個の貫通孔１３２が穿たれている。これらの貫通孔１３２は、磁気ディスク１３０上の情報記憶領域の最内周よりも更に内側に設けられている。
【国際調査報告】
2007004255.tif 000011
2007004255.tif 000012